(57)【特許請求の範囲】
【請求項１】
映像／音声／データが符号化・多重化され変調されて階層伝送された放送の信号を受信し復調する受信部と、
前記受信部で復調された信号から所望の信号を抽出して分離するパケット分離部と、
前記パケット分離部からの強階層及び弱階層の映像信号・音声信号を一時的に保存する強階層及び弱階層のバッファ部と、
前記バッファ部に一時保存した映像信号・音声信号を復号する強階層復号部及び弱階層復号部と、
前記強階層復号部と前記弱階層復号部のうちどちらか一方の映像信号・音声信号を選択する出力選択部と、
前記バッファ部からの強階層の映像信号・音声信号及び弱階層の映像信号・音声信号の出力タイミングを合わせるためにバッファ量の調整を行なうと共に前記出力選択部の選択を制御する出力制御部と、を備え、
前記出力制御部は、
選局直後は強階層信号を出力するように前記出力選択部を設定し、弱階層信号がバッファリングされて強階層の映像信号・音声信号と出力タイミングが合った時点で強階層の映像信号・音声信号を、弱階層の映像信号・音声信号に出力を切り替える制御を行うことを特徴とするデジタル放送受信装置。
【請求項２】
映像／音声／データ等が符号化・多重化され変調されて階層伝送された放送の信号を受信し復調する受信部と、
前記受信部で復調された信号から強階層の映像信号と強階層の音声信号、弱階層の映像信号と弱階層の音声信号とを抽出して分離するパケット分離部と、
前記パケット分離部からの前記強階層の映像信号と前記強階層の音声信号とを一時的に保存する強階層映像信号バッファ部と強階層音声信号バッファ部と、
前記パケット分離部からの前記弱階層の映像信号と前記弱階層の音声信号とを一時的に保存する弱階層映像信号バッファ部と弱階層音声信号バッファ部と、
前記強階層映像信号バッファ部と強階層音声信号バッファ部に一時保存した映像信号と音声信号を復号する強階層映像信号復号部と強階層音声信号復号部と、
前記弱階層映像信号バッファ部と弱階層音声信号バッファ部に一時保存した映像信号と音声信号を復号する弱階層映像信号復号部と弱階層音声信号復号部と、
前記強階層映像信号復号部と前記弱階層映像信号復号部の一方の映像信号と、
前記強階層音声信号復号部と前記弱階層音声信号復号部の一方の音声信号を選択する出力選択部と、
前記強階層映像信号バッファ部と前記弱階層映像信号バッファ部からの映像信号と、前記強階層音声信号バッファ部と前記弱階層音声信号バッファ部からの音声信号の出力タイミングを合わせるために各バッファ部のバッファ量の調整を行なうと共に前記出力選択部の選択を制御する出力制御部と、
を備え、
前記出力制御部は、
映像信号の出力において、選局直後は強階層の映像信号を出力するように前記出力選択部を設定し、弱階層の映像信号がバッファリングされて強階層の映像信号と出力タイミングが合った時点で強階層の映像信号を、弱階層の映像信号に出力を切り替える制御を行い、
音声信号の出力において、選局直後は強階層の音声信号を出力するように前記出力選択部を設定し、弱階層の音声信号がバッファリングされて強階層の音声信号と出力タイミングが合った時点で強階層の音声信号を、弱階層の音声信号に出力を切り替える制御を行うことを特徴とするデジタル放送受信装置。
【請求項３】
請求項１または請求項２記載のデジタル放送受信装置において、
ユーザ指示を入力する指示入力部を備え、
前記指示入力部に入力された指示に応じて、強階層と弱階層の映像・音声の出力タイミング調整を行うことを特徴とするデジタル放送受信装置。
【請求項４】
請求項３記載のデジタル放送受信装置において、
強階層と弱階層の映像・音声の出力タイミング調整は、出力タイミング調整画面上でユーザの操作により選択された設定値が出力タイミング設定部に保持され、
前記出力制御部が、映像・音声信号の伝送レートと前記出力タイミング設定部に保持された設定値から算出してバッファ量を設定することを特徴とするデジタル放送受信装置。
【発明の詳細な説明】
【技術分野】
【０００１】
本発明は、デジタル放送の受信装置に係り、特に階層伝送された放送を受信するデジタル放送受信装置に関する。
【背景技術】
【０００２】
デジタル放送においては、複数の伝送方式を用いて１つのトランスポートストリームを伝送する階層伝送が用いられる。地上デジタル放送では、１つ以上のセグメントで構成された階層を最大３階層まで同時に伝送することが可能であり、伝送路符号化方式の違いによる所要ＣＮ比の低い順に、強階層／中階層／弱階層と呼ばれている。階層が弱いほど高品質なデータを伝送できるが受信安定性が低く、階層が強いほど高品質なデータの伝送はできないが受信安定性が高いという特性がある。
【０００３】
階層伝送された放送を受信するデジタル放送受信機では、放送信号の受信レベルが低下すると弱階層から強階層に切り替えて映像・音声を出力するなど、受信状況に応じて階層を切り替えて映像・音声を出力することができる。階層を切り替えて映像・音声を出力する装置については、特許文献１などに述べられている。
【特許文献１】特開２００３−２７４３０２号公報
【発明の開示】
【発明が解決しようとする課題】
【０００４】
強階層と弱階層でそれぞれ伝送される映像・音声は、放送信号の送出時点で弱階層に比べて強階層のほうが数秒遅延するため、そのまま受信機側で弱階層と強階層を切り替えて映像・音声を出力すると、切り替え前に比べて数秒ずれた映像・音声が出力されてしまい、視聴しているユーザに違和感を与えてしまうという問題がある。
【０００５】
本発明は上記問題に鑑み、弱階層と強階層の映像・音声の出力タイミングを合わせることにより、階層切り替え時にスムーズに映像・音声を切り替えることを目的とする。
【課題を解決するための手段】
【０００６】
本発明のデジタル放送受信装置は、映像／音声／データが符号化・多重化され変調されて階層伝送された放送の信号を受信し復調する受信部と、前記受信部で復調された信号から所望の信号を抽出して分離するパケット分離部と、前記パケット分離部からの強階層及び弱階層の映像信号・音声信号を一時的に保存する強階層及び弱階層のバッファ部と、前記バッファ部に一時保存した映像信号・音声信号を復号する強階層復号部及び弱階層復号部と、前記強階層復号部と前記弱階層復号部のうちどちらか一方の映像信号・音声信号を選択する出力選択部と、前記バッファ部からの強階層の映像信号・音声信号及び弱階層の映像信号・音声信号の出力タイミングを合わせるためにバッファ量の調整を行なうと共に前記出力選択部の選択を制御する出力制御部と、を備え、前記出力制御部は、選局直後は強階層信号を出力するように前記出力選択部を設定し、弱階層信号がバッファリングされて強階層の映像信号・音声信号と出力タイミングが合った時点で強階層の映像信号・音声信号を、弱階層の映像信号・音声信号に出力を切り替える制御を行うことを特徴とする。
【発明の効果】
【０００７】
本発明のデジタル放送受信装置は、弱階層と強階層の映像・音声の出力タイミングを合わせることができるため、階層切り替え時に映像・音声の出力をスムーズに切り替えることができる。
【発明を実施するための最良の形態】
【０００８】
以下に、本発明の実施の形態について、図面を参照して説明する。
【実施例１】
【０００９】
図１は、本発明によるデジタル放送受信装置の第１実施例を示すブロック図である。図１において、１００はデジタル放送受信装置、１０１は幾つかの映像／音声／データが多重化され変調されて階層伝送された信号の入力端子、１０２は復調や伝送時に発生した誤りを訂正する受信部、１０３は多重化された信号から所望の映像／音声／データの信号を選択抽出するパケット分離部、１０４は強階層の信号をバッファリングする強階層バッファ部、１０５は符号化された強階層の信号を復号する強階層復号部、１０６は弱階層の信号をバッファリングする弱階層バッファ部、１０７は符号化された弱階層の信号を復号する弱階層復号部、１０９は強階層復号部１０５と弱階層復号部１０７のどちらか一方の出力を選択する出力選択部、１０８は強階層バッファ部１０４と弱階層バッファ部１０６のバッファ量の調節を行なうと共に前記出力選択部１０９の選択を制御する出力制御部、１１０は出力選択部１０９で選択された信号を出力する出力端子である。
【００１０】
第１実施例の動作を以下に説明する。まず、強階層信号と弱階層信号の映像・音声の出力タイミングを合わせる動作例を説明する。複数の情報が多重化され階層伝送されているデジタル信号が前記入力端子１０１に入力され、前記受信部１０２でデジタル信号を復調する。前記パケット分離部１０３では、強階層の映像・音声信号を抽出して前記強階層バッファ部１０４に入力するとともに、弱階層の映像・音声信号を抽出して前記弱階層バッファ部１０６に入力する。前記強階層バッファ部１０４のバッファがＦｕｌｌになると、映像・音声信号は前記強階層復号部１０５に入力されて映像・音声が復号される。同様に、前記弱階層バッファ部１０６のバッファがＦｕｌｌになると、映像・音声信号は前記弱階層復号部１０７に入力されて映像・音声が復号される。前記出力制御部１０８は、弱階層に対する強階層の映像・音声の遅延を調節するために、前記強階層バッファ部１０４よりも前記弱階層バッファ部１０６のバッファ量を一定量多くなるように設定する。前記出力選択部１０９で選択されているほうの映像・音声信号が前記出力端子１１０に出力される。このようにして、映像・音声信号のバッファ量を調節することにより、強階層と弱階層の映像・音声の出力タイミングを合わせることができる。これにより、強階層と弱階層を切り替えて出力する場合でも、映像・音声のスムーズな切り替えが可能になる。
なお、上記の説明では、強階層バッファ部１０４と弱階層バッファ部を設けて出力タイミングの調整を行ったが、場合により一方のバッファ部によりバッファ量を調整して強階層と弱階層の信号の出力タイミングを調整することも可能である。
【実施例２】
【００１１】
図２は、本発明によるデジタル放送受信装置の第２実施例を示すブロック図である。図２において、１００はデジタル放送受信装置、１０１は幾つかの映像／音声／データが多重化され変調されて階層伝送された信号の入力端子、１０２は復調や伝送時に発生した誤りを訂正する受信部、１０３は多重化された信号から所望の映像／音声／データの信号を選択抽出するパケット分離部、１０４Ａ，１０４Ｖは強階層の音声信号，映像信号をバッファリングする強階層バッファ部、１０５Ａ，１０５Ｖは符号化された強階層の音声信号，映像信号を復号する強階層復号部、１０６Ａ，１０６Ｖは弱階層の音声信号，映像信号をバッファリングする弱階層バッファ部、１０７Ａ，１０７Ｖは符号化された弱階層の音声信号，映像信号を復号する弱階層復号部、１０９は、強階層復号部１０５Ａと弱階層復号部１０７Ａの音声信号のどちらか一方の出力を選択し、強階層復号部１０５Ｖと弱階層復号部１０７Ｖの映像信号のどちらか一方の出力を選択する出力選択部、１０８は強階層バッファ部１０４Ａ，１０４Ｖと弱階層バッファ部１０６Ａ，１０６Ｖのバッファ量の調節を行なうと共に前記出力選択部１０９の選択を制御する出力制御部、１１０Ａ，１１０Ｖは出力選択部１０９で選択された音声信号，映像信号を出力する出力端子である。
【００１２】
第２実施例の動作を以下に説明する。まず、強階層信号と弱階層信号の映像信号，音声信号の出力タイミングを合わせる動作例を説明する。複数の情報が多重化され階層伝送されているデジタル信号が前記入力端子１０１に入力され、前記受信部１０２でデジタル信号を復調する。前記パケット分離部１０３では、強階層の音声信号，強階層の映像信号を抽出して前記強階層バッファ部１０４Ａ，１０４Ｖに入力するとともに、弱階層の音声信号，弱階層の映像信号を抽出して前記弱階層バッファ部１０６Ａ，１０６Ｖに入力する。前記強階層バッファ部１０４Ａ，１０４Ｖの各バッファがＦｕｌｌになると、強階層の映像信号，強階層の音声信号は前記強階層復号部１０５Ａ，１０５Ｖに入力されて音声信号，映像信号が復号される。同様に、前記弱階層バッファ部１０６Ａ，１０６Ｖの各バッファがＦｕｌｌになると、弱階層の音声信号，弱階層の映像信号は前記弱階層復号部１０７Ａ，１０７Ｖに入力されて映像・音声が復号される。前記出力制御部１０８は、弱階層に対する強階層の映像信号，音声信号の遅延を調節するために、前記強階層バッファ部１０４Ａ，１０４Ｖよりも前記弱階層バッファ部１０６Ａ，１０６Ｖのバッファ量を一定量多くなるように設定する。前記出力選択部１０９で選択されているほうの映像信号，音声信号が前記出力端子１１０に出力される。このようにして、映像信号，音声信号のバッファ量を調節することにより、強階層と弱階層の映像・音声の出力タイミングを合わせることができる。これにより、強階層と弱階層を切り替えて出力する場合のみならず、例えば、強階層の音声信号と弱階層の映像信号などの多様な組み合わせに切り替える場合にもスムーズな切り替えが可能になる。
【実施例３】
【００１３】
次に、本発明の第３実施例として、選局後の出力選択切り替えの動作を説明する。弱階層の映像・音声のバッファ量を増やすと、それだけバッファがＦｕｌｌになるまで時間が掛かるため、選局直後には弱階層の映像・音声が出力され始めるまでに時間が掛かるという問題が生じる。そのため、選局直後は強階層の映像・音声を出力しておき、弱階層の映像・音声を出力できるタイミングが来たら弱階層の出力に切り替えるよう制御する。まず、選局直後には、前記出力制御部１０８は強階層の映像・音声信号を出力するように前記出力選択部１０９を制御する。その後、前記出力制御部１０８は、前記弱階層バッファ部１０６のバッファがＦｕｌｌになったことを検知した時点で、弱階層の映像・音声信号を出力するように前記出力選択部１０９を制御する。このようにして、選局直後は強階層の映像・音声を出力しておき、強階層と弱階層の出力タイミングが合った時点で弱階層の映像・音声出力に切り替えることができる。
【００１４】
この様に、強階層と弱階層の映像・音声のバッファ量を調節することにより、強階層と弱階層の出力タイミングを合わせることができ、強階層と弱階層の切り替え時に映像・音声の出力をスムーズに切り替えることができる。更に、選局直後には強階層の映像・音声を出力しておくことによって、映像・音声の出力開始が遅れることなく提示できる。
上記は、第１実施例の場合の選局後の出力選択切り替えの動作について説明したが、上記の選局後の切り替え動作は、第２実施例の場合にも同様に適用が可能である。
【実施例４】
【００１５】
第４実施例の動作を以下に説明する。本実施例が第１実施例と異なるのは、強階層と弱階層の出力タイミング調整をユーザが設定できる点である。その他は第１実施例と同じである。
【００１６】
図３は、第４実施例を示すブロック図である。図１に示したデジタル放送受信装置と同じ手段については同一の符号で示している。２０１はリモコン信号等のユーザからの入力を受け付けるユーザ入力端子、２０２は出力タイミング調整画面を表示してユーザが選択した出力タイミング設定値を保持する出力タイミング設定部である。
【００１７】
第４実施例の動作を以下に説明する。図４は出力タイミング調整画面の表示例である。この調整画面３００で、ユーザは強階層と弱階層の映像・音声の出力タイミングを選択できる。調整画面３００は一例であり、他の例として、放送局ごとに調整値を設定できる調整画面を表示することも可能である。
【００１８】
ユーザに選択された出力タイミング設定値に応じて映像・音声の出力タイミングを制御する場合の動作を説明する。前記出力タイミング調整画面３００を表示し、前記ユーザ入力端子２０１からリモコン信号等によりユーザの操作を受け付ける。前記出力タイミング調整画面３００の画面上で選択された設定値は前記出力タイミング設定部２０２に保持される。前記出力制御部１０８は、映像・音声信号の伝送レートと前記出力タイミング設定部２０２に保持された設定値から算出して、前記強階層バッファ部１０４よりも前記弱階層バッファ部１０６のバッファ量が多くなるように設定する。その他の動作は第１実施例と同じである。
【００１９】
この様に、強階層と弱階層の映像・音声のバッファ量を調節することにより、強階層と弱階層の出力タイミングを合わせることができ、強階層と弱階層の切り替え時に映像・音声の出力をスムーズに切り替えることができる。
【００２０】
上記の強階層と弱階層の映像・音声のバッファ量の調節は、第１実施例の強階層と弱階層の出力タイミングの調節について説明したが、第４実施例の出力タイミング調整画面を用いて出力タイミングを設定する手段は、第２の実施例のように、強階層の映像信号と音声信号、弱階層の映像信号と音声信号のそれぞれの出力タイミングを調整する場合にも適用が可能である。
【図面の簡単な説明】
【００２１】
【図１】本発明にかかるデジタル放送受信装置の第１実施例を示すブロック図である。
【図２】本発明にかかるデジタル放送受信装置の第２実施例を示すブロック図である。
【図３】本発明にかかるデジタル放送受信装置の第３実施例を示すブロック図である。
【図４】本発明にかかるデジタル放送受信装置の第３実施例に関する出力タイミング調整画面例を示す図である。
【符号の説明】
【００２２】
１００    デジタル放送受信装置
１０１    入力部
１０２    受信部
１０３    パケット分離部
１０４，１０４Ａ，１０４Ｖ    強階層バッファ部
１０５，１０５Ａ，１０５Ｖ    強階層復号部
１０６，１０６Ａ，１０６Ｖ    弱階層バッファ部
１０７，１０７Ａ，１０７Ｖ    弱階層復号部
１０８    出力制御部
１０９    出力選択部
１１０，１１０Ａ，１１０Ｖ  出力端子
２０１    ユーザ入力端子
２０２    出力タイミング設定部
３００    出力タイミング調整画面
【図１】
0004684885.tif 000002
【図２】
0004684885.tif 000003
【図３】
0004684885.tif 000004
【図４】
0004684885.tif 000005